(57)【要約】【課題】本発明は、簡単な構造でナットの緩み止め効果及び戻り止め効果を得ることができる締結具を提供することを目的とするものである。【解決手段】ボルト１螺合するナット２は、ほぼ中央部分に貫通して形成されるとともに内周面に雌ネジ部が形成された装着孔２３と、外側面が締付用工具と係合するように形成された螺合部２０と、螺合部２０に一体的に設けられるとともに薄肉に形成された破断部２１と、破断部２１に一体的に設けられるとともに外側面が締付用工具と係合するように形成された固着部２２と、螺合部２０において装着孔２３の開口の周囲に装着孔２３に対して偏心した位置に設けられるとともに破断部２１の外形形状に沿うように内周面が形成された段差部２４とを備えている。【選択図】図１
2011080584.tif 000002
【特許請求の範囲】
【請求項１】
ボルトにナットを螺合して部材を締付固定する締結具であって、前記ナットは、ほぼ中央部分に貫通して形成されるとともに内周面に雌ネジ部が形成された装着孔と、外側面が締付用工具と係合するように形成された螺合部と、前記螺合部に一体的に設けられるとともに薄肉に形成された破断部と、前記破断部に一体的に設けられるとともに外側面が締付用工具と係合するように形成された固着部と、前記螺合部における前記装着孔の開口の周囲に前記装着孔に対して偏心した位置に設けられるとともに前記破断部の外形形状に沿うように内周面が形成された段差部とを備えており、前記破断部の破断により分離された前記螺合部を、前記段差部が前記固着部における前記破断部の残留部分を収容するように前記ボルトに螺合して締付固定することで、前記破断部の残留部分のネジ山が前記段差部により前記ボルトのネジ溝に圧接されるとともに前記螺合部及び前記固着部の対向面が密着してダブルナット構造となるように設定されていることを特徴とする締結具。
【請求項２】
ボルトにナットを螺合して部材を締付固定する締結具であって、前記ナットは、ほぼ中央部分に貫通して形成されるとともに内周面に雌ネジ部が形成された装着孔と、外側面が締付用工具と係合するように形成された螺合部と、前記螺合部に一体的に設けられるとともに薄肉に形成された破断部と、前記破断部に一体的に設けられるとともに外側面が締付用工具と係合するように形成された固着部とを備え、前記螺合部における前記装着孔の開口部分は、前記破断部の外径よりも拡がるようにテーパ状の傾斜面に形成されており、前記破断部の破断により分離された前記螺合部を、前記開口部分が前記固着部における前記破断部の残留部分を収容するように前記ボルトに螺合して締付固定することで、前記破断部の残留部分のネジ山が前記開口部分のテーパ状の傾斜面により前記ボルトのネジ溝に圧接されるとともに前記螺合部及び前記固着部の対向面が密着してダブルナット構造となるように設定されていることを特徴とする締結具。
【請求項３】
前記破断部は、前記螺合部を螺合させて締め付ける締付力により生じる所定値以上のせん断応力で破断するように設定されていることを特徴とする請求項１又は２に記載の締結具。
【請求項４】
前記破断部は、軸方向の長さが前記雌ネジ部のネジ山１つ分の幅以上となるように設定されていることを特徴とする請求項１から３のいずれかに記載の締結具。
【請求項５】
固定状態において前記固着部と被圧接面との間に挟圧されるバネ部材とを備えていることを特徴とする請求項１から４のいずれかに記載の締結具。
【発明の詳細な説明】
【技術分野】
【０００１】
本発明は、ネジの締付けにより発生する軸力で部材を結合する締結具に関する。
【背景技術】
【０００２】
従来より機械や構造物の組立て等にボルト及びナットを用いた締結具が使用されている。こうした締結具では、ナットをボルトに螺合させて部材同士を締付固定するが、ナットの締付けによりボルトに発生する軸力で部材を結合している。締結具が安定した固定状態を継続するにはこうした軸力を保持する必要があることから、ボルトとナットの間の緩み止め及び戻り止めのための様々な対策が採られている。
【０００３】
例えば、特許文献１では、基礎中に鉛直方向に沿って埋設固定されたアンカーボルトに螺合されてベースプレートを固定する柱脚固定用金具として、螺合部、破断部及び固着部が形成されたナットを用い、ナットをアンカーボルトに螺合して締付固定される際に螺合部及び固着部が破断部の破断により分離されるようになっており、分離された螺合部を再度螺合して固着部の上面に密着することでダブルナット構造を構成し、緩み止めを行っている。特許文献１のナットは、締付固定するトルクが所定値以上に到達すると破断するようになっており、ナットが破断するまで締付固定すれば常に一定の軸力をアンカーボルトに発生させることができるようになっている。
【０００４】
また、特許文献２では、中心部にねじ孔を有する第１及び第２ナット体からなり、第１ナット体の下部にねじ孔の中心に対し偏心させて円形の台座部を突出形成するとともに台座部の下部に所定の締付けトルクがかかったとき破断する突起部を突設し、第２ナット体の上面にねじ孔の中心に対し偏心させて台座部が嵌入可能な円形の段差部を形成するとともに段差部の底面に突起部を挿入する係合孔３３を形成した緩み止めナットが記載されており、２つのナット体によるダブルナット構造を構成するとともに台座部及び段差部の偏心結合により緩み止め作用を発揮させるようにしている。
【０００５】
また、特許文献３では、緩み止めナット本体とナットとを薄肉連結部を介して一体的に形成し、ナットの締結トルクを越える締付けトルクにて薄肉連結部を破断させるとともに、薄肉連結部内方の雌ねじを変形させてボルトの雄ねじに喰い込ませ、締結の弛みを阻止するようにした緩み止めナットが記載されている。
【先行技術文献】
【特許文献】
【０００６】
【特許文献１】特許第３７４０６８３号公報
【特許文献２】登録実用新案第３１５０６３１号公報
【特許文献３】特開２００１−３９１５号公報
【発明の概要】
【発明が解決しようとする課題】
【０００７】
特許文献１に記載された柱脚固定用金具は、ナットの破断した螺合部を再利用してダブルナット構造を構成するため、緩み止め効果を得ることができるが、締付固定したナット自体が回転して緩みが生じる可能性がある。また、特許文献２に記載された緩み止めナットは、緩み止め効果が得られるものの複雑な形状の２つのナット体を形成する必要があり、実用的ではない。また、特許文献３に記載された緩み止めナットは、破断した部分の形状が一定しないため十分な緩み止め効果を得ることが難しい。
【０００８】
そこで、本発明は、簡単な構造でナットの緩み止め効果及び戻り止め効果を得ることができる締結具を提供することを目的とするものである。
【課題を解決するための手段】
【０００９】
本発明に係る締結具は、ボルトにナットを螺合して部材を締付固定する締結具であって、前記ナットは、ほぼ中央部分に貫通して形成されるとともに内周面に雌ネジ部が形成された装着孔と、外側面が締付用工具と係合するように形成された螺合部と、前記螺合部に一体的に設けられるとともに薄肉に形成された破断部と、前記破断部に一体的に設けられるとともに外側面が締付用工具と係合するように形成された固着部と、前記螺合部における前記装着孔の開口の周囲に前記装着孔に対して偏心した位置に設けられるとともに前記破断部の外形形状に沿うように内周面が形成された段差部とを備えており、前記破断部の破断により分離された前記螺合部を、前記段差部が前記固着部における前記破断部の残留部分を収容するように前記ボルトに螺合して締付固定することで、前記破断部の残留部分のネジ山が前記段差部により前記ボルトのネジ溝に圧接されるとともに前記螺合部及び前記固着部の対向面が密着してダブルナット構造となるように設定されていることを特徴とする。
【００１０】
本発明に係る別の締結具は、ボルトにナットを螺合して部材を締付固定する締結具であって、前記ナットは、ほぼ中央部分に貫通して形成されるとともに内周面に雌ネジ部が形成された装着孔と、外側面が締付用工具と係合するように形成された螺合部と、前記螺合部に一体的に設けられるとともに薄肉に形成された破断部と、前記破断部に一体的に設けられるとともに外側面が締付用工具と係合するように形成された固着部とを備え、前記螺合部における前記装着孔の開口部分は、前記破断部の外径よりも拡がるようにテーパ状の傾斜面に形成されており、前記破断部の破断により分離された前記螺合部を、前記開口部分が前記固着部における前記破断部の残留部分を収容するように前記ボルトに螺合して締付固定することで、前記破断部の残留部分のネジ山が前記開口部分のテーパ状の傾斜面により前記ボルトのネジ溝に圧接されるとともに前記螺合部及び前記固着部の対向面が密着してダブルナット構造となるように設定されていることを特徴とする。
【００１１】
上記の締結具において、さらに、前記破断部は、前記螺合部を螺合させて締め付ける締付力により生じる所定値以上のせん断応力で破断するように設定されていることを特徴とする。さらに、前記破断部は、軸方向の長さが前記雌ネジ部のネジ山１つ分の幅以上となるように設定されていることを特徴とする。さらに、固定状態において前記固着部と被圧接面との間に挟圧されるバネ部材とを備えていることを特徴とする。
【発明の効果】
【００１２】
上記のような構成を有することで、破断部の外形形状に沿うように内周面が形成された段差部が装着孔に対して偏心した位置に設定されているので、破断部の破断により分離された螺合部をボルトに再度螺合する場合に段差部が固着部の破断部の残留部分を収容するように設定して締付固定すれば、破断部の残留部分に段差部が圧接するようになる。
【００１３】
すなわち、段差部は装着孔に対して偏心しているので、螺合部をボルトに螺合させて回動させると段差部の内周面が装着孔の中心に対して偏心しながら回動するようになる。そのため、段差部の内周面において装着孔の中心からの距離が短い部分では破断部の残留部分に対して圧接した状態になり、破断部の残留部分の内周に形成されたネジ山がボルトのネジ溝に圧接されて楔のように作用して螺合部の戻り回転に対する抵抗を増加させることができ、優れた戻り止め効果が得られる。
【００１４】
また、破断部の破断により分離された螺合部をボルトに螺合して固着部に対して対向面が密着した状態に締付固定することで、ダブルナット構造に設定することができ、緩み止め効果を高めることができる。また、固着部の外側面を締付用工具と係合するように形成しているので、破断部が破断した後に螺合部及び固着部を再度締め直してダブルナット構造と同様の効果を発揮させることができる。
【００１５】
また、螺合部における装着孔の開口部分に、破断部の外径よりも拡がるようにテーパ状の傾斜面に形成しておくことで、上述した段差部と同様に、破断部の残留部分に対して傾斜面が圧接した状態となり、優れた緩み止め効果及び戻り止め効果を得ることができる。
【００１６】
そして、螺合部を螺合させて締め付ける締付力により生じる所定値以上のせん断力で破断部が破断するように設定されているので、ナットをボルトに螺合して締付固定した際に破断部の破断時における締付力に対応した所定の軸力がボルトに付与されることになる。そのため、破断部が破断するまでナットを締め付ければ設定した軸力をボルトに確実に付与することができる。
【００１７】
また、固着部と被圧接面との間にバネ部材が挟圧されることで、震動等により部材が揺動した場合でもバネ部材が緩衝材として作用し、ボルトに付与された軸力を長期間にわたって維持することができる。
【図面の簡単な説明】
【００１８】
【図１】本発明に係る実施形態に関する構成図である。
【図２】ナットに関する平面図である。
【図３】ナットに関する側面図である。
【図４】ナットに関する軸方向の断面図である。
【図５】図１に示す締結具の締付固定過程に関する説明図である。
【図６】図１に示す締結具の締付固定過程に関する説明図である。
【図７】図１に示す締結具の締付固定過程に関する説明図である。
【図８】図１に示す締結具の締付固定過程に関する説明図である。
【図９】分離した螺合部及び固着部に関する外観斜視図である。
【図１０】図１に示す締結具におけるナットの変形例に関する側面図である。
【図１１】図１０に示すナットを締付固定した状態に関する断面図である。
【図１２】図１に示す締結具の変形例に関する側面図である。
【図１３】皿バネ部材に関する平面図及び断面図である。
【発明を実施するための形態】
【００１９】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００２０】
図１は、本発明に係る実施形態に関する構成図である。この例では、締結具は、ボルト１及びナット２からなる。ボルト１は、部材Ｍ１及びＭ２を重ねて各部材に穿設された取付孔Ｈ１及びＨ２に貫通して挿着し、ボルト１の雄ネジ部にナット２を螺合して締付固定することで、部材Ｍ１及びＭ２を重ねた状態で固定する。締結具の固定状態では、ボルト１に引張力による軸力が発生しており、部材Ｍ１及びＭ２を圧接した状態で保持するようになる。
【００２１】
ボルト１は、機械部品や構造物の部材等を固定する公知の締結具に使用されるものであればよく、特に限定されない。
【００２２】
図２及び図３は、ナット２に関する平面図及び側面図である。ナット２は、螺合部２０、破断部２１及び固着部２２が一体形成されており、中心部には中心軸Ｏの方向に沿って円形の装着孔２３が貫通するように穿設されている。
【００２３】
螺合部２０及び固着部２２は、外側面が六角形に成形されており、レンチ等の締付工具を嵌合してボルト１に螺合して締付動作が行えるようになっている。螺合部２０及び固着部２２はほぼ同じ肉厚に形成されており、軸方向の長さは螺合部２０が広くなるように設定されている。なお、螺合部２０及び固着部２２の長さは、同じ長さに設定するようにしてもよく、特に限定されない。
【００２４】
破断部２１は、螺合部２０及び固着部２２の間に円筒状で薄肉に一体形成されている。破断部２１の肉厚は、ボルト１にナット２を螺合した状態で螺合部２０を締付工具により締め付けていき、所定の締付力以上が加わると破断するように調整されている。また、破断部２１の軸方向の長さは、装着孔２３の内周面に形成された雌ネジ部のネジ山１つ分の幅以上となるように設定されている。また、ネジ山１つ分が含まれる雌ネジ部のピッチ以上の長さに設定するようにしてもよい。
【００２５】
装着孔２３の内周面には雌ネジ部が形成されており、雌ネジ部は螺合部２０から固着部２２まで全面にわたって形成されている。
【００２６】
螺合部２０の上面には、装着孔２３の開口の周囲に凹状の段差部２４が形成されている。段差部２４の内周面は円形に形成され、内径が破断部２１の外径とほぼ同じかわずかに大きく設定されており、段差部２４の深さは、破断部２１の長さとほぼ同程度に設定されている。段差部２４は、装着孔２３とは偏心した位置に設定されている。図２に示すように、装着孔２３の中心Ｏに対して段差部２４の中心Ｏ’がずれた位置に設定されており、偏心している。そのため、中心Ｏから段差部２４の内周面までの径方向の長さは場所により異なっており、図２では、左方向で最も短く右方向で最も長くなっている。
【００２７】
図４は、ナット２に関する軸方向の断面図である。装着孔２３の内周面には、螺旋状に形成されたネジ溝が形成され、ネジ溝の間にネジ山が形成されている。段差部２４は、装着孔２３に対して偏心した位置に形成されているので、中心軸Ｏから内周面までの間隔ｒ１及びｒ２は互いに異なるように設定されている。そして、中心軸Ｏから段差部２４の内周面までの間隔は、少なくとも一部分において破断部２１の外径（中心軸Ｏからの半径）よりも間隔が狭くなるように段差部２４の偏心位置が設定されている。
【００２８】
図５から図８は、図１に示す締結具の締付固定過程に関する説明図である。図５では、部材Ｍ１及びＭ２に挿着したボルト１にナット２を螺合し、締付工具を螺合部２０に嵌合させて力Ｆでナット２を回動させながら部材Ｍ１及びＭ２を重ね合わせた状態で締め付けていく。ナット２を締め付けていくと、ボルト１が軸方向に引っ張られて軸力Ｐが生じるようになる。
【００２９】
図６では、螺合部２０をさらに回動させて締め付けていくと、破断部２１の周方向に加わるせん断応力Ｓが次第に大きくなって、せん断応力Ｓが破断部２１のせん断強度以上になると破断部２１が破断する。破断した場合の破断線Ｕは、破断部２１の内周面に形成されているネジ溝に沿って破断する。図４に示すように、破断部２１は螺合部２０及び固着部２２よりも薄肉に形成されているが、ネジ溝が形成されている部分ではさらに肉厚が薄くなっている。そのため、周囲に比べてせん断強度が弱くなっており、破断線Ｕはネジ溝沿って生じるようになる。この場合、ネジ溝部分のせん断強度を所定の締付力で破断するように肉厚を調整しておけば、螺合部２０とともに固着部２２に所定の締付力が加わって破断部２１が破断し、固着部２２は所定の締付力が加わった状態で維持されるようになる。そのため、破断後もボルト１には所定の締付力Ｆに対応する所定の軸力Ｐが保持された状態となる。
【００３０】
そして、螺合部２０と破断部２１との間の境界の段差に応力が集中するため境界部分のネジ溝から破断が生じてネジ溝に沿って１周する破断線で螺合部２０が固着部２２から分離するようになる。
【００３１】
図９は、分離した螺合部２０及び固着部２２に関する外観斜視図である。螺合部２０には、破断部２１の残留部分２１ａが装着孔の周囲に立設しており、ネジ溝の１周分だけ分離して、ネジ山が一部分だけ螺旋状に残留している。一方、固着部２２にも、破断部２１の残留部分２１ｂが装着孔の周囲に立設しており、残留部分２１ｂは残留部分２１ａに対応して分離して、ネジ山がほぼ一周分螺旋状に残留している。
【００３２】
破断部２１の破断後、図７に示すように、螺合部２０をボルト１から取り外し、螺合部２０を上下が逆になるように回転させ、上面に形成された段差部２４を下面にして再度ボルト１に螺合する。
【００３３】
螺合部２０をボルト１に螺合させていくと、図８の断面図に示すように、固着部２２の残留部分２１ｂが螺合部２０の段差部２４に収容されるようになる。段差部２４は、内径が破断部２１の外径とほぼ同じかわずかに大きく設定されて装着孔２３に対して偏心した位置に形成されているので、残留部分２１ｂが段差部２４からはみ出て突き当たる場合がある。その場合でも、螺合部２０を回動させながら、図４に示すように、段差部２４の内周面で中心軸Ｏからの間隔が破断部２１の外径よりも広い部分が残留部分２１ｂの最も高い箇所に対応すれば、段差部２４内に残留部分２１ｂが収容されていくようになる。
【００３４】
螺合部２０を締付工具で回動させて段差部２４内に残留部分２１ｂを強制的に収容させていくと、段差部２４の内周面で中心軸Ｏからの間隔が破断部２１の外径よりも狭い部分では、段差部２４の内周面が残留部分２１ｂの外周を摺接しながら装着孔の中心に向かって押圧するように作用する。そして、螺合部２０をさらに締付工具で螺合させていき、螺合部２０の下面が固着部２２の上面に密着した状態になるまで締め付けると、段差部２４の圧接による押圧力で残留部分２１ｂのネジ溝で一部又は全部に亀裂が生じ、一部又は全部が分離した螺旋状のネジ山部分２１ｃがボルト１のネジ溝と段差部２４との間に圧接状態で保持されるようになる。
【００３５】
ネジ山部分２１ｃはボルト１のネジ溝部分に押し当てられて圧接した状態に保持されるので、楔がボルト１のネジ溝に押入された場合と同様の状態となって、いわゆるプリべリング形の戻り止め部品と同様に作用し、固着部２２の戻り回転に対する抵抗が増加して優れた戻り止め効果を得ることができる。また、固着部２２の上面に螺合部２０の下面が密着した状態になるので、ダブルナット構造となって緩み止め効果についても得ることができ、ナットの破断部の破断時に設定されたボルト１の所定の軸力を長期間にわたって維持することが可能となる。
【００３６】
また、螺合部２０及び固着部２２の外形は、締付工具が嵌合可能なように六角形状に形成されているため、締付工具で螺合部２０及び固着部２２を互いに逆方向に締め付けることで再度締め直すこともでき、部材を安定した締付固定状態に保持することが容易に行える。
【００３７】
図１０は、図１に示す締結具におけるナットの変形例に関する軸方向の断面図である。この例では、ナットの螺合部２０において装着孔２３の開口部分がテーパ状の傾斜面２５に形成されている。傾斜面２５は、装着孔２３に対して次第に拡径し、端面において破断部２１の外径よりも大きくなるように設定されている。傾斜面２５の軸方向の深さは、破断時の残留部分２１ｂが収容可能な程度に設定すればよい。
【００３８】
図１１は、図１０に示すナットを締付固定した状態に関する断面図である。破断した螺合部２０を傾斜面２５が形成された面を下にしてボルト１に再度螺合させていくと、傾斜面２５の端面での径が破断部２１よりも大きく設定されているため、ナットの破断により形成された固着部２２の残留部分２１ｂが傾斜面２５内に収容されていくようになる。螺合部２０をさらに回動させていくと、傾斜面２５の径が次第に小さくなるため残留部分２１ｂを装着孔の中心に向かって押圧するように作用する。そして、螺合部２０をさらに締付工具で螺合させていき、螺合部２０の下面が固着部２２の上面に密着した状態になるまで締め付けると、傾斜面２５の圧接による押圧力で残留部分２１ｂのネジ溝で一部又は全部に亀裂が生じ、一部又は全部が分離した螺旋状のネジ山部分２１ｃがボルト１のネジ溝と傾斜面２５との間に圧接状態で保持されるようになる。
【００３９】
図１２は、図１に示す締結具の変形例に関する側面図である。この例では、締結具は、ナットと部材の間に皿バネ部材３が挿入されて締付固定されている。ナットは、図８に示すように、破断させた螺合部２０を固着部２２に対して密着状態になるまで締付固定している。
【００４０】
皿バネ部材３は、図１３の平面図（図１３（ａ））及び断面図（図１３（ｂ））に示すとおり、金属製でリング状に形成されており、内周側３０から外周側３１にいくに従いわずかに下方に傾斜するように成形されている。したがって、皿バネ部材３の内周側３０が上方に、外周側３１が下方にそれぞれ突き出るようになる。図１２に示すように、固着部２２の下面と部材の上面との間に皿バネ部材３が挟持されると、固着部２２の下面は皿バネ部材３の内周側３０の上面に当接し、部材の上面は皿バネ部材３の外周側３１の下面が当接するようになる。この状態で皿バネ部材３が上下方向から挟圧されると、内周側３０が下方に押圧され、外周側３１が上方に押圧されるため、それに対して反発力が生じ、固着部２２と部材との間を離間させる方向に付勢力が作用するようになる。
【００４１】
こうして生じた皿バネ部材３の付勢力により固着部２２が常時押圧された状態となり、螺合部２０及び固着部２２が圧力により永久変形したり、部材の皿バネ部材３に対する当接面が変形した場合でも締付固定状態を維持することができる。また、固着部２２を皿バネ部材を押圧することで固着部２２の戻り止めの効果についても得ることができる。
【００４２】
皿バネ部材３の外周は固着部２２の外周とほぼ一致しているが、皿バネ部材３の外周を固着部２２の外周よりも大きくしてもよい。その分皿バネ部材３の内周側の浮き上がりが大きくなり、反発力を大きくすることができる。また、皿バネ部材３と部材との間に座金を挿入するようにしてもよい。
【符号の説明】
【００４３】
１    ボルト
２    ナット
20    螺合部
21    破断部
22    固着部
23    装着孔
24    段差部
25    傾斜面
３    皿バネ部材
【図１】
2011080584.tif 000003
【図２】
2011080584.tif 000004
【図３】
2011080584.tif 000005
【図４】
2011080584.tif 000006
【図５】
2011080584.tif 000007
【図６】
2011080584.tif 000008
【図７】
2011080584.tif 000009
【図８】
2011080584.tif 000010
【図９】
2011080584.tif 000011
【図１０】
2011080584.tif 000012
【図１１】
2011080584.tif 000013
【図１２】
2011080584.tif 000014
【図１３】
2011080584.tif 000015
【手続補正書】
【提出日】平成22年8月2日(2010.8.2)
【手続補正１】
【補正対象書類名】特許請求の範囲
【補正対象項目名】全文
【補正方法】変更
【補正の内容】
【特許請求の範囲】
【請求項１】
ボルトにナットを螺合して部材を締付固定する締結具であって、前記ナットは、ほぼ中央部分に貫通して形成されるとともに内周面に雌ネジ部が形成された装着孔と、外側面が締付用工具と係合するように形成された螺合部と、前記螺合部に一体的に設けられるとともに薄肉に形成された破断部と、前記破断部に一体的に設けられるとともに外側面が締付用工具と係合するように形成された固着部と、前記螺合部における前記装着孔の開口の周囲に前記装着孔に対して偏心した位置に設けられるとともに前記破断部の外形形状に沿うように内周面が形成された段差部とを備えており、前記破断部の破断により分離された前記螺合部を、前記段差部が前記固着部における前記破断部の残留部分を収容するように前記ボルトに螺合して締付固定することで、前記破断部の残留部分のネジ溝で一部又は全部に亀裂が生じて一部又は全部が分離した前記破断部の残留部分のネジ山が前記段差部により前記ボルトのネジ溝に圧接されるとともに前記螺合部及び前記固着部の対向面が密着してダブルナット構造となるように設定されていることを特徴とする締結具。
【請求項２】
ボルトにナットを螺合して部材を締付固定する締結具であって、前記ナットは、ほぼ中央部分に貫通して形成されるとともに内周面に雌ネジ部が形成された装着孔と、外側面が締付用工具と係合するように形成された螺合部と、前記螺合部に一体的に設けられるとともに薄肉に形成された破断部と、前記破断部に一体的に設けられるとともに外側面が締付用工具と係合するように形成された固着部とを備え、前記螺合部における前記装着孔の開口部分は、前記破断部の外径よりも拡がるようにテーパ状の傾斜面に形成されており、前記破断部の破断により分離された前記螺合部を、前記開口部分が前記固着部における前記破断部の残留部分を収容するように前記ボルトに螺合して締付固定することで、前記破断部の残留部分のネジ溝で一部又は全部に亀裂が生じて一部又は全部が分離した前記破断部の残留部分のネジ山が前記開口部分のテーパ状の傾斜面により前記ボルトのネジ溝に圧接されるとともに前記螺合部及び前記固着部の対向面が密着してダブルナット構造となるように設定されていることを特徴とする締結具。
【請求項３】
前記破断部は、前記螺合部を螺合させて締め付ける締付力により生じる所定値以上のせん断応力で破断するように設定されていることを特徴とする請求項１又は２に記載の締結具。
【請求項４】
前記破断部は、軸方向の長さが前記雌ネジ部のネジ山１つ分の幅以上となるように設定されていることを特徴とする請求項１から３のいずれかに記載の締結具。
【請求項５】
固定状態において前記固着部と被圧接面との間に挟圧されるバネ部材とを備えていることを特徴とする請求項１から４のいずれかに記載の締結具。
【手続補正２】
【補正対象書類名】明細書
【補正対象項目名】０００９
【補正方法】変更
【補正の内容】
【０００９】
本発明に係る締結具は、ボルトにナットを螺合して部材を締付固定する締結具であって、前記ナットは、ほぼ中央部分に貫通して形成されるとともに内周面に雌ネジ部が形成された装着孔と、外側面が締付用工具と係合するように形成された螺合部と、前記螺合部に一体的に設けられるとともに薄肉に形成された破断部と、前記破断部に一体的に設けられるとともに外側面が締付用工具と係合するように形成された固着部と、前記螺合部における前記装着孔の開口の周囲に前記装着孔に対して偏心した位置に設けられるとともに前記破断部の外形形状に沿うように内周面が形成された段差部とを備えており、前記破断部の破断により分離された前記螺合部を、前記段差部が前記固着部における前記破断部の残留部分を収容するように前記ボルトに螺合して締付固定することで、前記破断部の残留部分のネジ溝で一部又は全部に亀裂が生じて一部又は全部が分離した前記破断部の残留部分のネジ山が前記段差部により前記ボルトのネジ溝に圧接されるとともに前記螺合部及び前記固着部の対向面が密着してダブルナット構造となるように設定されていることを特徴とする。
【手続補正３】
【補正対象書類名】明細書
【補正対象項目名】００１０
【補正方法】変更
【補正の内容】
【００１０】
本発明に係る別の締結具は、ボルトにナットを螺合して部材を締付固定する締結具であって、前記ナットは、ほぼ中央部分に貫通して形成されるとともに内周面に雌ネジ部が形成された装着孔と、外側面が締付用工具と係合するように形成された螺合部と、前記螺合部に一体的に設けられるとともに薄肉に形成された破断部と、前記破断部に一体的に設けられるとともに外側面が締付用工具と係合するように形成された固着部とを備え、前記螺合部における前記装着孔の開口部分は、前記破断部の外径よりも拡がるようにテーパ状の傾斜面に形成されており、前記破断部の破断により分離された前記螺合部を、前記開口部分が前記固着部における前記破断部の残留部分を収容するように前記ボルトに螺合して締付固定することで、前記破断部の残留部分のネジ溝で一部又は全部に亀裂が生じて一部又は全部が分離した前記破断部の残留部分のネジ山が前記開口部分のテーパ状の傾斜面により前記ボルトのネジ溝に圧接されるとともに前記螺合部及び前記固着部の対向面が密着してダブルナット構造となるように設定されていることを特徴とする。